(57)【要約】【課題】構成を単純化したアラーム監視システムを提供する。【解決手段】アラーム集配部１は、システム４１〜４３からアラーム情報が入力ポートに新規に入力すると、入力項目番号と発生／回復フラグとアラーム／条件フラグとから成るアラームデータを出力する。アラーム制御部２は、入力項目番号毎に、アラームメッセージと条件項目番号とが予め設定され、また条件項目番号と１対１対応の発生マーク欄を有する入力項目データを格納するデータベース２−１を備えている。アラーム制御部は、アラームデータが入力すると、入力項目番号をキーにデータベースを検索し、アラームデータが条件発生を示しており当該入力項目番号が当該入力項目データの条件項目番号と一致すると発生マークをＯＮとし、またアラームデータがアラーム発生を示しており当該入力項目データの発生マークがＯＮであるときはアラームメッセージを出力する。【選択図】        図１
2005033512.tif 000002
【特許請求の範囲】
【請求項１】
テレビジョン送出やラジオ送出で一つのシステムからのアラームを他のシステムにおける条件との係わりによって有効化して表示・集計できるアラーム監視システムにおいて、
前記システムからアラームと条件から成るアラーム情報が入力ポートに新規入力すると、アラーム情報のビット位置に対応した番号である入力項目番号と、前記アラームまたは条件それぞれのビット内容に応じてアラームまたは条件の発生または回復を示す発生／回復フラグと、前記入力ポートのエリアに応じてアラームまたは条件の別を示すアラーム／条件フラグとから成るアラームデータを出力するアラーム集配部と、
前記入力項目番号毎に、前記表示・集計の対象となるアラームメッセージと、前記有効化の条件を指定する条件項目番号とが予め設定され、また前記条件項目番号と１対１対応の発生マーク欄を有する入力項目データを格納するデータベースを備えたアラーム制御部とを設け、
前記アラーム制御部は、前記アラームデータが入力すると、前記入力項目番号をキーに前記データベースを検索し、前記アラームデータが条件発生を示しており当該入力項目番号が当該入力項目データの条件項目番号と一致すると発生マークをＯＮとし、また前記アラームデータがアラーム発生を示しており当該入力項目データの発生マークがＯＮであるときはアラームメッセージを出力することを特徴とするアラーム監視システム。
【請求項２】
前記入力項目データ一つに、前記条件項目番号と発生マーク欄を複数組設けたことを特徴とする請求項１記載のアラーム監視システム。
【発明の詳細な説明】
【０００１】
【発明の属する技術分野】
本発明は、例えばテレビジョン送出（放送）やラジオ送出分野において、一つのシステムからのアラームを他のシステムにおける条件との係わりによって有効化して、表示・集計できるアラーム監視システムに関する。
【０００２】
【従来の技術】
図５は、従来のこの種のアラーム監視システムを示す（文献公知発明でない）。図５において、システムＡからのアラームａは、システムＡがオンエア（ＯＡ）中という状態のときにアラーム監視装置１０１へ通知され、アラーム監視装置１０１はこのアラームを表示し集計する。このＯＡ中を条件とする絞込みはシステムＡにおいて内部的に行う。また、点線で示すようにシステム外部にロジックを設ければ、システムＢがＯＡ中という条件下でアラームａをアラーム監視装置１０１へ通知できるようになる。
【０００３】
【発明が解決しようとする課題】
しかしながら、上述した従来技術では、一つのシステムからのアラームを他のシステムにおける状態との係わりによって有効化しようとすると、外部ハードロジックが必要になるため、アラーム監視システムの構成が煩雑になるという問題点がある。
【０００４】
本発明の目的は、構成を単純化できるアラーム監視システムを提供することにある。
【０００５】
【課題を解決するための手段】
本発明のアラーム監視システムは、テレビジョン送出やラジオ送出で一つのシステムからのアラームを他のシステムにおける条件との係わりによって有効化して、表示・集計できるアラーム監視システムにおいて、システム（図１の４１〜４３）からアラームと条件から成るアラーム情報が入力ポートに新規入力すると、アラーム情報のビット位置に対応した番号である入力項目番号と、アラームまたは条件それぞれのビット内容に応じてアラームまたは条件の発生または回復を示す発生／回復フラグと、入力ポートのエリアに応じてアラームまたは条件の別を示すアラーム／条件フラグとから成るアラームデータ（図１の１０）を出力するアラーム集配部（図１の１）と、入力項目番号毎に、前記表示・集計の対象となるアラームメッセージと、有効化の条件を指定する条件項目番号とが予め設定され、また条件項目番号と１対１対応の発生マーク欄を有する入力項目データ（図１の２０）を格納するデータベース（図１の２−１）を備えたアラーム制御部（図１の２）とを設け、アラーム制御部は、アラームデータが入力すると、入力項目番号をキーにデータベースを検索し、アラームデータが条件発生を示しており当該入力項目番号が当該入力項目データの条件項目番号と一致すると発生マークをＯＮとし、またアラームデータがアラーム発生を示しており当該入力項目データの発生マークがＯＮであるときはアラームメッセージを出力することを特徴とする。
【０００６】
本発明では、すべてのシステムについて、アラーム出力を有効化するための条件を入力項目番号毎にデータベースに登録しておく。いずれかのシステムからアラーム情報が新規に入力してくると、アラームデータに変換し、入力項目番号をキーにデータベースを検索し、アラームデータが条件を示しており、登録されている条件と一致するときは発生マークをＯＮにする。また、アラームデータがアラームを示しており、発生マークがＯＮであるときはアラームメッセージを出力する。
【０００７】
【発明の実施の形態】
図１は本発明のアラーム監視システムの一実施例を示すブロック図である。このアラーム監視システムは、システム４１，４２，４３それぞれのアラームをアラーム監視装置１００で表示し集計するとともに、例えば、システム４１のアラームをシステム４２やシステム４３における状態との係わりによっても有効化して、アラーム監視装置１００で表示し集計するものである。これにより、無用なアラーム表示を回避する。ここで、システム４１，４２，４３とアラーム監視装置１００との間に外部ハードロジックが介在しないことに留意されたい。
【０００８】
３つのシステム４１，４２，４３からは、その状態によってアラーム情報をアラーム監視装置１００へ出力する。アラーム情報は、アラームと条件から成るパラレルビット信号である。アラーム監視装置１００は、アラーム集配部１とアラーム制御部２とアラーム表示部３とで構成されている。
【０００９】
アラーム集配部１は、システム４１〜４３からのアラーム情報を入力ポートに入力し、ポーリングによってアラーム情報の有無を検出する。その結果、アラーム情報のビットがＯＮになったことを検出すると、そのアラーム情報をアラームデータ１０に変換してアラーム制御部２へ転送する。
【００１０】
図２はアラーム集配部１の機能を示すブロック図である。図２では、システム４１からのアラーム情報（アラーム４１，条件４１）と、システム４２からのアラーム情報（アラーム４２，条件４２）と、システム４３からのアラーム情報（アラーム４３，条件４３）とが入力ポート１４に入力できることが示されている。
【００１１】
アラームデータ１０は、入力項目番号１１，発生／回復フラグ１２およびアラーム／条件フラグ１３を有する。
【００１２】
入力項目番号１１とは、アラーム情報のビット位置に対応した番号であり、図２では、アラーム４１，４２，４３の入力項目番号１１は“００１”，“００２”，“００３”、条件４１，４２，４３の入力項目番号１１は“３０１”，“３０２”，“３０３”となっている。
【００１３】
発生／回復フラグ１２とは、アラーム４１〜４３または条件４１〜４３それぞれのビット内容（ＯＮまたはＯＦＦ）に応じて、アラーム４１〜４３または条件４１〜４３それぞれの発生または回復を示す。
【００１４】
アラーム／条件フラグ１３は、入力ポート１４のエリアに応じてアラームまたは条件の別を示す。図２では、入力ポート１４のエリアは上下によって示されている。
【００１５】
アラーム制御部２は、予め入力項目データ２０を格納したデータベース２−１を備えている。入力項目データ２０とは、図３に示すように、入力項目番号２１毎に、アラームメッセージ２２，条件項目番号２３および発生マーク２４を示したデータである。アラームメッセージ２２と条件項目番号２３は予め設定される。入力項目番号２１は入力項目番号１１と同義であり、アラームメッセージ２２はアラーム表示部３で表示されるものである。
【００１６】
条件項目番号２３とは、アラームメッセージ２２をアラーム表示部３へ出力するときの条件を示し、具体的には、発生マーク２４をＯＮにさせたい条件４１〜４３の入力項目番号１１である。発生マーク２４は、そのＯＮ／ＯＦＦによってアラーム４１〜４３が発生したときに、アラームメッセージ２２をアラーム監視装置３へ出力するか否かを決する。条件項目番号２３と発生マーク２４は複数組あってもよい。
【００１７】
アラーム制御部２は、アラームデータ１０中の入力項目番号１１をキーにしてデータベース２−１を検索し、設定データを取得する。そして、取得した設定データとアラームデータ１０とに基づいて、図４にフローチャートで示すように、発生マーク２４を設定したり、アラームメッセージ２２をアラーム表示部３へ出力する。
【００１８】
アラーム表示部３は、アラームメッセージ２２をＣＲＴ３１，ＬＥＤ表示部３２，音声出力装置３３等によってオペレータに通知する。
【００１９】
図４において、アラーム集配部１の入力ポート１４よりアラーム情報の入力があると（ステップＳ１）、１回前に入力したアラーム情報と比較し変化があるかをチェックする。その結果、変化があれば（ステップＳ２でＹＥＳ）、変化のあったビットをアラームデータ１０に変換してアラーム制御部２へ転送する（ステップＳ３）。
【００２０】
アラーム制御部２は、アラームデータ１０の入力項目番号１１をキーにデータベース２−１を検索し設定データを取得する（ステップＳ４）。この場合、発生／回復フラグ１２が発生を示しており、かつアラーム／条件フラグ１３が条件を示しているときは（ステップＳ５でＹＥＳ）、入力項目番号１１（条件を示している）と一致する条件項目番号２３を検出すると、それに対応する発生マーク２４をＯＮに設定する（ステップＳ６）。
【００２１】
一方、発生／回復フラグ１２が発生を示しており、かつアラーム／条件フラグ１３がアラームを示しているときは（ステップＳ５でＮＯ）、先ず条件項目番号２３の設定が合うかをチェックする（ステップＳ７）。その結果、条件項目番号２３の設定がないか（ステップＳ７でＮＯ）、設定があり（ステップＳ８でＹＥＳ）、かつ発生マーク２４が設定済みであれば（ステップＳ８でＹＥＳ）、アラーム表示部３はアラームメッセージ２２を表示する（ステップＳ９）。
【００２２】
しかし、条件項目番号の設定がであっても（ステップＳ８でＹＥＳ）、発生マーク２４が設定済みでないときは（ステップＳ８でＮＯ）、アラーム表示部３がアラームメッセージ２２を表示することはない。
【００２３】
【発明の効果】
本発明によれば、アラーム出力を有効化するための条件および対応する発生マークをデータベースに設定しておき、システムから入力してくる条件が設定している条件と一致すると発生マークをＯＮとし、システムからアラームが入力してきたときに、発生マークがＯＮのときにのみアラーム出力を有効化する構成としたため、外部ハードロジックが不要となり、複数システムにおけるとの係わりにおいてアラーム出力を有効化するアラーム監視システムを単純な構成することができる。
【図面の簡単な説明】
【図１】本発明のアラーム監視システムの一実施例を示すブロック図
【図２】図１の実施例におけるアラーム集配部１の機能を示すブロック図
【図３】図１の実施例におけるデータベース２−１に格納される入力項目データ２０のフォーマットを示す図
【図４】本発明のアラーム監視システムのフローチャート
【図５】従来のアラーム監視システムを示すブロック図
【符号の説明】
１          アラーム集配部
２          アラーム制御部
３          アラーム表示部
１０        アラームデータ
１１        入力項目番号
１２        発生／回復フラグ
１３        アラーム／条件フラグ
１４        入力ポート
２０        入力項目データ
３１        ＣＲＴ
３２        ＬＥＤ表示部
３３        音声出力部
４１〜４３  システム
２−１      データベース
１００      アラーム監視装置
【図１】
2005033512.tif 000003
【図２】
2005033512.tif 000004
【図３】
2005033512.tif 000005
【図４】
2005033512.tif 000006
【図５】
2005033512.tif 000007